(57)【要約】【課題】オスコネクタに対する接続及び接続を解除する操作が容易であり、患者に不快感を与えることの無いメスコネクタを提供する。【解決手段】メスコネクタ１は、台座２１から垂直方向に突出する第１の中空管状部２２と、台座２１から放射方向に突出する係合部２３とを備えるオスコネクタ２に接続される。第１の中空管状部２２が挿入される第２の中空管状部３１を備える軟質樹脂製のメスコネクタ本体３と、円筒管部４１と、環状壁部４２と、把持部４３とを備える可撓性硬質樹脂製のロック部材４とからなる。メスコネクタ本体３は、フランジ部３２と、段差部３３とを備え、ロック部材４は爪部４５を備え、円筒管部４１は内周面４６と第２の中空管状部３１の外周面との間に所定の間隙４７を存する。【選択図】  図５
2019201716.tif 000002
【特許請求の範囲】
【請求項１】
台座と、該台座の中央から下方に突出する第１の中空管状部と、該台座から該第１の中空管状部の中心軸に対して相対向する位置で該中心軸から放射方向に突出する１対の係合部とを備えるオスコネクタに接続されるメスコネクタにおいて、
該オスコネクタの該第１の中空管状部が挿入される第２の中空管状部を備える軟質樹脂製のメスコネクタ本体と、
該第２の中空管状部に外嵌される円筒管部と、該円筒管部の外周面との間に所定の間隔を存して該円筒管部を包囲し該円筒管部の中心軸に沿って上方に延在する環状壁部と、該環状壁部の外周面と該円筒管部の外周面の下部とを接続し相対向する１対の把持部とを備える可撓性硬質樹脂製のロック部材とからなり、
該メスコネクタ本体は、該第１の中空管状部が挿入される該第２の中空管状部の挿入端部から外周方向に延在し該円筒管部の上端部に係合するフランジ部と、該第２の中空管状部の外周面に位置して該円筒管部の下端部に係合する段差部とを備え、
該ロック部材は、該環状壁部の該１対の把持部を結ぶ線に直交する線と交わる位置の内周面で下方に揺動自在であり該係合部と係合する１対の爪部を備え、該円筒管部は内周面と該第２の中空管状部の外周面との間に所定の間隙を存することを特徴とするメスコネクタ。
【発明の詳細な説明】
【技術分野】
【０００１】
本発明は、メスコネクタに関する。
【背景技術】
【０００２】
経口によらずに患者に栄養や薬剤を投与する方法の１つとして経腸栄養療法が知られている。経腸栄養療法では、患者の鼻腔又は胃瘻から経腸栄養セットを介して胃又は十二指腸へ栄養剤、流動食又は、薬剤等の液状物が投与される。
【０００３】
患者に投与される液状物は医療用容器等の液状物容器に収納されており、液状物容器の下端に設けられたオスコネクタから流出し、経鼻チューブ等の経腸栄養セットを介して患者に投与される。経腸栄養セットの一端にはメスコネクタが設けられており、経腸栄養セットはメスコネクタを介してオスコネクタと接続される。
【０００４】
液状物容器に設けられたオスコネクタは、該液状物容器が医療用容器である場合には規格があるが、液状物として流動食を収容するものについては標準となる規格が存在せず、メーカーごとに異なる形状を備えている。しかし、前記オスコネクタは、規格の有無に関わらず、基本的には台座の中央から下方に突出する中空管状部と、台座からの中空管状部の中心軸に対して相対向する位置で該中心軸に対して放射方向に突出する係合部とを備えている。そこで、前記オスコネクタと接続されるメスコネクタとして、従来、オスコネクタの係合部を係止する爪部を備えるものが知られている。前記メスコネクタは、オスコネクタの中空管状部に外嵌した後、円周方向に回転させることにより、爪部に係合部を係止することができる（例えば、特許文献１参照）。
【先行技術文献】
【特許文献】
【０００５】
【特許文献１】特許第５２８７８２２号公報（段落０１０６−０１１５、図２４−２６）
【発明の概要】
【発明が解決しようとする課題】
【０００６】
しかしながら、特許文献１に記載のメスコネクタは、オスコネクタに接続し、又は接続を解除するには、オスコネクタの中空管状部に外嵌した状態で、円周方向に回転させる必要があり、操作が繁雑な上、回転により経鼻チューブ等の経腸栄養セットがねじれると患者に不快感を与えることがあるという不都合がある。
【０００７】
本発明は、かかる不都合を解消して、オスコネクタに対する接続する操作及び、接続を解除する操作が容易であり、患者に不快感を与えることの無いメスコネクタを提供することを目的とする。
【課題を解決するための手段】
【０００８】
かかる目的を達成するために、例えば、台座の中央から垂直方向に突出する第１の中空管状部と、台座からの中空管状部の中心軸に対して相対向する位置で該中心軸に対して放射方向に突出する１対の係合部とを備えるオスコネクタに対し、第１の中空管状部が挿入される第２の中空管状部を備えるメスコネクタ本体と、該第２の中空管状部に外嵌される円筒管部と、該円筒管部の外周面との間に所定の間隔を存して該円筒管部を包囲する環状壁部と、該環状壁部の外周面と該円筒管部の外周面とを接続する１対の把持部と、該環状壁部の該１対の把持部を結ぶ線に直交する線と交わる位置の内周面で下方に揺動自在であり該オスコネクタの係合部と係合する１対の爪部を備える可撓性硬質樹脂製のロック部材とからなるメスコネクタが考えられる。
【０００９】
前記メスコネクタによれば、前記オスコネクタと接続するときには、前記オスコネクタの係合部が前記メスコネクタの爪部に押圧される位置で、前記メスコネクタの第２の中空管状部に、前記オスコネクタの第１の中空管状部を挿入する。このようにすると、前記爪部は前記係合部が押圧されたときに下方に揺動し、該係合部が通過すると元の状態に復帰して該係合部を係止するので、前記メスコネクタを回転させることなく、一挙動で前記オスコネクタに該メスコネクタを接続することができる。
【００１０】
また、前記ロック部材は可撓性を備えるので前記１対の把持部を前記第１の中空管状部及び第２の中空管状部の中心軸方向に押圧すると、前記環状壁部が該１対の把持部を結ぶ方向を短径とし、前記１対の爪部を結ぶ方向を長径とする楕円形状に変形することにより、該爪部による前記係合部の係止を解除し、前記オスコネクタに対する前記メスコネクタの接続を解除することができる。
【００１１】
しかしながら、前記メスコネクタでは、前記メスコネクタ本体の第２の中空管状部の変形が外嵌されている前記ロック部材の円筒管部により規制されるので、前記オスコネクタの第１の中空管状部を第２の中空管状部に挿入しにくくなることがある。
【００１２】
そこで、本発明のメスコネクタは、台座と、該台座の中央から下方に突出する第１の中空管状部と、該台座から該第１の中空管状部の中心軸に対して相対向する位置で該中心軸から放射方向に突出する１対の係合部とを備えるオスコネクタに接続されるメスコネクタにおいて、該オスコネクタの該第１の中空管状部が挿入される第２の中空管状部を備える軟質樹脂製のメスコネクタ本体と、該第２の中空管状部に外嵌される円筒管部と、該円筒管部の外周面との間に所定の間隔を存して該円筒管部を包囲し該円筒管部の中心軸に沿って上方に延在する環状壁部と、該環状壁部の外周面と該円筒管部の外周面の下部とを接続し相対向する１対の把持部とを備える可撓性硬質樹脂製のロック部材とからなり、該メスコネクタ本体は、該第１の中空管状部が挿入される該第２の中空管状部の挿入端部から外周方向に延在し該円筒管部の上端部に係合するフランジ部と、該第２の中空管状部の外周面に位置して該円筒管部の下端部に係合する段差部とを備え、該ロック部材は、該環状壁部の該１対の把持部を結ぶ線に直交する線と交わる位置の内周面で下方に揺動自在であり該係合部と係合する１対の爪部を備え、該円筒管部は内周面と該第２の中空管状部の外周面との間に所定の間隙を存することを特徴とする。
【００１３】
尚、本発明のメスコネクタは、前記オスコネクタの下方に配置されており、本明細書では該オスコネクタ側を「上」、該メスコネクタ側を「下」という。
【００１４】
本発明のメスコネクタによれば、前記オスコネクタと接続するときには、前記オスコネクタの係合部が前記メスコネクタの爪部に押圧される位置で、前記メスコネクタの第２の中空管状部に、前記オスコネクタの第１の中空管状部を挿入する。このようにすると、前記爪部は前記係合部が押圧されたときに下方に揺動し、該係合部が通過すると元の状態に復帰して該係合部を係止するので、前記メスコネクタを回転させることなく、一挙動で前記オスコネクタに該メスコネクタを接続することができる。
【００１５】
また、前記ロック部材は可撓性を備えるので前記１対の把持部を前記第１の中空管状部及び第２の中空管状部の中心軸方向に押圧すると、前記環状壁部が該１対の把持部を結ぶ方向を短径とし、前記１対の爪部を結ぶ方向を長径とする楕円形状に変形することにより、該爪部による前記係合部の係止を解除し、前記オスコネクタに対する前記メスコネクタの接続を解除することができる。
【００１６】
また、本発明のメスコネクタによれば、前記メスコネクタ本体が軟質樹脂からなり、前記ロック部材の円筒管部は内周面と前記第２の中空管状部の外周面との間に所定の間隙を存するので、該第２の中空管状部は前記第１の中空管状部が挿入されたときに、該円筒管部に規制されることなく該円筒管部側に変形することができる。従って、前記第１の中空管状部を前記第２の中空管状部に挿入する操作を容易に行うことができる。
【００１７】
さらに、本発明のメスコネクタによれば、前記ロック部材の円筒管部が、上端部で前記フランジ部に係合する一方、下端部では前記段差部に係合しているので、該ロック部材が前記メスコネクタから脱落することを防止することができる。従って、本発明のメスコネクタによれば、オスコネクタに接続し、或いは接続を解除する操作を容易かつ確実に行うことができ、経鼻チューブ等の経腸栄養セットのねじれにより患者に不快感を与えることを防止することができる。
【図面の簡単な説明】
【００１８】
【図１】本発明のメスコネクタの構成を示す斜視図。
【図２】図１に示すメスコネクタの平面図。
【図３】図１に示すメスコネクタを一方の把持部側から見た側面図。
【図４】図１に示すメスコネクタを１対の把持部に挟まれる側から見た側面図。
【図５】Ａは図２のＶ−Ｖ線断面図、ＢはＡの変形例を示す断面図。
【図６】本発明のメスコネクタをオスコネクタに接続した状態を示す断面図。
【図７】本発明のメスコネクタにおけるロック部材の他の構成例を示す斜視図。
【図８】図７に示すロック部材の平面図。
【図９】本発明のメスコネクタにおける環状壁部の他の構成例を示す斜視図。
【図１０】本発明のメスコネクタにおける円筒管部の他の構成例を示す断面図。
【発明を実施するための形態】
【００１９】
次に、添付の図面を参照しながら本発明の実施の形態についてさらに詳しく説明する。
【００２０】
図１に示す本実施形態のメスコネクタ１は図示しない経鼻チューブ等の経腸栄養セットの端部に設けられており、栄養剤、流動食又は、薬剤等の液状物が収納された液状物容器（図示せず）の下端に設けられたオスコネクタ２に接続される。
【００２１】
オスコネクタ２は、例えば、台座２１と、台座２１の中央から下方に突出する第１の中空管状部２２と、台座２１から第１の中空管状部２２の中心軸に対して相対向する位置で、該中心軸に対して放射方向に突出する１対の係合部２３とを備える。
【００２２】
メスコネクタ１は、ポリ塩化ビニル（ＰＶＣ）等の軟質樹脂製のメスコネクタ本体３と、ポリプロピレン（ＰＰ）等の可撓性を備える硬質樹脂製のロック部材４とからなる。メスコネクタ本体３は、第１の中空管状部２２が挿入される第２の中空管状部３１を備えている。
【００２３】
ロック部材４は、図２〜４に示すように、第２の中空管状部３１に外嵌される円筒管部４１と、円筒管部４１の外周面との間に所定の間隔を存して円筒管部４１を包囲する環状壁部４２と、環状壁部４２の外周面と円筒管部４１の外周面下部とを接続する１対の把持部４３とを備える。１対の把持部４３は、円筒管部４１の中心軸に対して相対向する位置に設けられた板状の部材であり、環状壁部４２の外周面に接続され円筒管部４１の中心軸に平行な上部４３ａと、上部４３ａの下端から円筒管部４１方向に屈曲し、接続部４４を介して円筒管部４１に接続する下部４３ｂとからなる。
【００２４】
環状壁部４２は円筒管部４１の中心軸に沿って上方に延在しており、１対の把持部４３を結ぶ線に直交する線と交わる位置の内周面に、１対の爪部４５を備える。爪部４５は下方に揺動自在であり、オスコネクタ２の係合部２３と係合する。
【００２５】
また、ロック部材４は、図５Ａに示すように、その内周面に円筒管部４１の下端部から上端部に向かって次第に拡径するテーパー部４６を備え、テーパー部４６は第２の中空管状部３１の外周面との間に所定の間隙４７を存している。
【００２６】
一方、メスコネクタ本体３は、図５Ａに示すように、第２の中空管状部３１の上端部から外周方向に延在し、円筒管部４１の上端部に係合するフランジ部３２と、第２の中空管状部３１の外周面に位置して円筒管部４１の下端部に係合する段差部３３とを備えている。
【００２７】
ロック部材４は、図５Ａに示すようにテーパー部４６の下端部が段差部３３付近で第２の中空管状部３１に接触しているが、図５Ｂに示すようにその下端部が第２の中空管状部３１に接触しない構成としてもよい。ロック部材４が図５Ｂに示す構成を備えるときには、間隙４７はフランジ部３２の下面から段差部３３の上面までの間に延在している。
尚、メスコネクタ本体３は、段差部３３を備えない構成としてもよい。
【００２８】
また、メスコネクタ本体３は、第２の中空管状部３１の内周面にテーパー部３４を備えており、テーパー部３４はそれぞれ傾斜角度の異なる第１テーパー部３４ａ、第２テーパー部３４ｂ、第３テーパー部３４ｃにより構成されている。
【００２９】
次に、図６を参照して、メスコネクタ１をオスコネクタ２に接続する操作について説明する。
【００３０】
メスコネクタ１をオスコネクタ２に接続する際には、手指により１対の把持部４３を摘み、オスコネクタ２の係合部２３がロック部材４の爪部４５に押圧されるように位置合わせして、メスコネクタ１をオスコネクタ２方向に移動させることにより、メスコネクタ本体３の第２の中空管状部３１に、オスコネクタ２の第１の中空管状部２２を挿入する。このとき、メスコネクタ本体３は軟質樹脂からなり、第２の中空管状部３１の外周面とロック部材４の円筒管部４１の内周面（テーパー部４６）との間に間隙４７を存しているので、第２の中空管状部３１はロック部材４の円筒管部４１に規制されることなく、その外周側（テーパー部４６側）に容易に変形することができ、第２の中空管状部３１に第１の中空管状部２２を容易に挿入することができる。また、図５Ｂに示すように間隙４７がフランジ部３２の下面から段差部３３の上面までの間に延在しているときには、第１の中空管状部２２の先端口径の大きなオスコネクタ２であっても、第２の中空管状部３１に第１の中空管状部２２を容易に挿入することができる。
【００３１】
また、このようにすると、爪部４５は係合部２３が押圧されることにより下方に揺動し、係合部２３が通過すると元の状態に復帰して係合部２３を係止することができる。従って、メスコネクタ１を回転させることなく、オスコネクタ２方向に移動させるという一挙動のみでオスコネクタ２にメスコネクタ１を接続することができる。
【００３２】
次に、メスコネクタ１とオスコネクタ２との接続を解除する際には、図２に示すように、手指により１対の把持部４３を、第１の中空管状部２２及び第２の中空管状部３１の中心軸方向に押圧する。このようにすると、ロック部材４は可撓性を有する硬質樹脂からなるので、環状壁部４２が１対の把持部４３を結ぶ方向を短径とし、１対の爪部４５を結ぶ方向を長径とする楕円形状に変形し、爪部４５による係合部２３の係止が解除される。そこで、メスコネクタ１をオスコネクタ２から下方向に移動させることにより、メスコネクタ１とオスコネクタ２との接続を解除することができる。
【００３３】
また、ロック部材４は円筒管部４１の上下端がメスコネクタ本体３のフランジ部３２と段差部３３とに係合されているので、メスコネクタ本体３から脱落することがなく、前述のメスコネクタ１をオスコネクタ２に接続する操作及び、メスコネクタ１とオスコネクタ２との接続を解除する操作を円滑に行うことができる。
【００３４】
従って、本実施形態のメスコネクタ１によれば、円周方向に回転させることなく、メスコネクタ１をオスコネクタ２に接続し、或いはメスコネクタ１とオスコネクタ２との接続を解除する操作を容易に行うことができる一方、メスコネクタ１の回転に伴う経鼻チューブ等の経腸栄養セットのねじれにより患者に不快感を与えることを防止することができる。
【００３５】
また、ロック部材４は、図２に示す構成に代えて、図７及び図８に示すように、円筒管部４１の内周面下部に複数の縦リブ４８を備えるものであってもよい。ロック部材４は、例えば、円筒管部４１の内周面に等間隔で６個の縦リブ４８を備えるものとすることができる。
【００３６】
ロック部材４は、図２に示す構成の場合、テーパー部４６の下方では、ロック部材４の円筒管部４１の内周面にメスコネクタ本体３の第２の中空管状部３１の外周面が面接触することとなり、円筒管部４１を第２の中空管状部３１に外嵌する操作が困難になることがある。
【００３７】
一方、ロック部材４が、図７及び図８に示すように、円筒管部４１の内周面下部に複数の縦リブ４８を備える場合には、ロック部材４の円筒管部４１の内周面において第２の中空管状部３１の外周面が縦リブ４８と点接触することとなり、円筒管部４１を第２の中空管状部３１に外嵌する操作を容易に行うことができる。
【００３８】
また、ロック部材４は、図１及び図４に示す構成に代えて、図９に示すように、環状壁部４２に爪部４５が見えない程度の切り込み部４２ａを備えていてもよい。また、ロック部材４は、図５に示す構成に代えて、図１０に示すように、テーパー部４６がそれぞれ傾斜角度の異なる第１テーパー部４６ａ、第２テーパー部４６ｂにより２段に構成されていてもよい。
【符号の説明】
【００３９】
１…メスコネクタ、  ２…オスコネクタ、  ３…メスコネクタ本体、  ４…ロック部材、  ２２…第１の中空管状部、  ２３…係合部、  ３１…第２の中空管状部、  ３２…フランジ部、  ３２ａ…スカート部、  ３３…段差部、  ４１…円筒管部、  ４２…環状壁部、  ４３…把持部、  ４５…爪部、  ４６…テーパー部。
【図１】
2019201716.tif 000003
【図２】
2019201716.tif 000004
【図３】
2019201716.tif 000005
【図４】
2019201716.tif 000006
【図５】
2019201716.tif 000007
【図６】
2019201716.tif 000008
【図７】
2019201716.tif 000009
【図８】
2019201716.tif 000010
【図９】
2019201716.tif 000011
【図１０】
2019201716.tif 000012